(57)【特許請求の範囲】
【請求項１】
床部、該床部が載置される水平フレーム、背部枠、側枠、回動側枠、前記水平フレームに取着されたキャスター、前記水平フレームの先端部付近に取着されたロック杆受け部材及び前記床部の枢支軸と平行になるように、前記床部に配設されたロック杆とを有し、前記水平フレームの先端部付近に取着されたロック杆受け部材の溝に、前記ロック杆を挿入することにより、前記水平フレームに載置された前記床部が、前記水平フレームに対してロックされ、また、前記ロック杆を、前記ロック杆受け部材の溝から出すことにより、前記水平フレームに対する前記床部のロックが解除されるように構成されているかご車において、前記床部は、周囲に垂下された垂直壁と該垂直壁に沿って縦横に垂下されたリブとを有しているとともに、前記垂直壁と前記リブのうち、前記背部枠と直交する垂直壁とリブに、該垂直壁とリブの長手方向に沿って横長孔を穿設し、該横長孔に、前記ロック杆を挿入することにより、前記ロック杆が、前記床部の枢支軸と平行になるように配設されており、また、前記ロック杆に取着された係止部材と該係止部材に対して前記床部の中央側に位置する前記横長孔が穿設されているリブに取着された受け部材との間には、前記ロック杆に遊嵌されているコイルスプリングが配設されているとともに、該コイルスプリングの付勢力は、前記ロック杆に、前記ロック杆の軸方向に外力が加わらない場合には、前記ロック杆受け部材に、前記ロック杆の先端部が係合するように調整されており、更に、前記ロック杆と、前記ロック杆に対して前記床部の枢支軸側に位置するとともに前記ロック杆に平行なリブとの間には、前記ロック杆を、前記床部の枢支軸の方へ向かう方向に付勢するもう１つのコイルスプリングが配設されており、前記もう１つのコイルスプリングの付勢力に抗して、前記ロック杆を、前記床部の先端部方向に移動させて、前記ロック杆を、前記ロック杆受け部材の溝から出すことにより、上述したように、前記水平フレームに対する前記床部のロックが解除されるように構成されており、更にまた、前記側枠を形成する支柱のうち、前記背部枠側に位置する支柱には、前記背部枠方向に延在する板状のガイド部材が取着されており、水平状態の前記床部を、前記背部枠に接近させることにより、前記ロック杆が、前記係止部材と前記受け部材との間に配設された前記コイルスプリングを圧縮しながら、前記ガイド部材のガイド面に沿って移動し、前記ロック杆の先端が、前記ガイド部材の自由端から外れた際には、前記係止部材と前記受け部材との間で圧縮された前記コイルスプリングの反発力により、前記ロック杆が元の位置に戻り、前記ロック杆の先端が、前記ガイド部材の自由端の背後に位置し、前記床部の水平方向への回動が、前記ガイド部材により阻止されるように構成されていることを特徴とするかご車。
【請求項２】
前記ガイド部材に、前記背部枠方向に延在するとともに、外側に傾斜した傾斜部を形成し、前記床部が、前記背部枠に当接した際には、前記ロック杆の先端が、前記ガイド部材の傾斜部に接触していることを特徴とする請求項１に記載のかご車。
【発明の詳細な説明】
【０００１】
【発明の属する技術分野】
本発明は、コンビニエンスストアー、デパート、工場等において、商品や梱包品等の保管或いは運搬に使用されるキャスターを有するかご車に関するものである。
【０００２】
【従来の技術】
従来、水平フレーム、水平フレームに下端部が取着された背部枠、側枠、回動側枠、水平フレーム或いは背部枠の下端部に取着された枢支軸を中心に回動するように構成された床部及び水平フレームの底面に配設されたキャスターとからなる折り畳み可能なかご車が知られており、このようなかご車は、床部を、水平フレーム或いは背部枠の下端部に取着された枢支軸を中心に、背部枠に重なるように略垂直状態に回動させ、次いで、回動側枠を、背部枠に重なるように回動させることにより折り畳むことができるように構成されており、また、組み立てられた状態においては、床部が動かないように、床部を水平フレームにロックするように構成されている。
【０００３】
【発明が解決しようとする課題】
上述した従来のかご車においては、床部を、水平フレーム或いは背部枠の下端部に取着された枢支軸を中心に、背部枠に重なるように略垂直状態に回動させた後、床部に配設されているロック杆を、背部枠等に取着されているフック等に係合させる際に、作業者が、手で、ロック杆を操作しなければならず、かご車の折り畳み作業に時間がかかるとともに、その作業性が悪いという問題があった。
【０００４】
本発明の目的は、上述した従来のかご車が有する課題を解決するとともに、騒音の発生が抑制されたかご車を提供することにある。
【０００５】
【課題を解決するための手段】
本発明は、上述した目的を達成するために、床部、該床部が載置される水平フレーム、背部枠、側枠、回動側枠、前記水平フレームに取着されたキャスター、前記水平フレームの先端部付近に取着されたロック杆受け部材及び前記床部の枢支軸と平行になるように、前記床部に配設されたロック杆とを有し、前記水平フレームの先端部付近に取着されたロック杆受け部材の溝に、前記ロック杆を挿入することにより、前記水平フレームに載置された前記床部が、前記水平フレームに対してロックされ、また、前記ロック杆を、前記ロック杆受け部材の溝から出すことにより、前記水平フレームに対する前記床部のロックが解除されるように構成されているかご車において、第１には、前記床部は、周囲に垂下された垂直壁と該垂直壁に沿って縦横に垂下されたリブとを有しているとともに、前記垂直壁と前記リブのうち、前記背部枠と直交する垂直壁とリブに、該垂直壁とリブの長手方向に沿って横長孔を穿設し、該横長孔に、前記ロック杆を挿入することにより、前記ロック杆が、前記床部の枢支軸と平行になるように配設されており、また、前記ロック杆に取着された係止部材と該係止部材に対して前記床部の中央側に位置する前記横長孔が穿設されているリブに取着された受け部材との間には、前記ロック杆に遊嵌されているコイルスプリングが配設されているとともに、該コイルスプリングの付勢力は、前記ロック杆に、前記ロック杆の軸方向に外力が加わらない場合には、前記ロック杆受け部材に、前記ロック杆の先端部が係合するように調整されており、更に、前記ロック杆と、前記ロック杆に対して前記床部の枢支軸側に位置するとともに前記ロック杆に平行なリブとの間には、前記ロック杆を、前記床部の枢支軸の方へ向かう方向に付勢するもう１つのコイルスプリングが配設されており、前記もう１つのコイルスプリングの付勢力に抗して、前記ロック杆を、前記床部の先端部方向に移動させて、前記ロック杆を、前記ロック杆受け部材の溝から出すことにより、上述したように、前記水平フレームに対する前記床部のロックが解除されるように構成されており、更にまた、前記側枠を形成する支柱のうち、前記背部枠側に位置する支柱には、前記背部枠方向に延在する板状のガイド部材が取着されており、水平状態の前記床部を、前記背部枠に接近させることにより、前記ロック杆が、前記係止部材と前記受け部材との間に配設された前記コイルスプリングを圧縮しながら、前記ガイド部材のガイド面に沿って移動し、前記ロック杆の先端が、前記ガイド部材の自由端から外れた際には、前記係止部材と前記受け部材との間で圧縮された前記コイルスプリングの反発力により、前記ロック杆が元の位置に戻り、前記ロック杆の先端が、前記ガイド部材の自由端の背後に位置し、前記床部の水平方向への回動が、前記ガイド部材により阻止されるように構成したものであり、第２には、前記ガイド部材に、前記背部枠方向に延在するとともに、外側に傾斜した傾斜部を形成し、前記床部が、前記背部枠に当接した際には、前記ロック杆の先端が、前記ガイド部材の傾斜部に接触するように構成したものである。
【０００６】
【実施例】
以下に、本発明の実施例について説明するが，本発明の趣旨を越えない限り何ら、本実施例に限定されるものではない。
【０００７】
本発明のかご車は、垂直断面形状が略Ｌ字状の型材で形成された、平面形状が略コの字状の水平フレーム１、下部が水平フレーム１に固着された背部枠２、下部が水平フレーム１に固着されるとともに、背部枠２の一端に配置された支柱２ａに、適当数の連結具３により連結された側枠４、背部枠２の他端に配置された支柱２ｂに、適当数のヒンジ５によりヒンジ結合された回動側枠６、背部枠２側の水平フレーム１に取着された枢支軸に回動可能に枢支された床部７及び水平フレーム１に取着されたキャスター８とから構成されており、図１に示されている組み立てられた状態から、水平状態の床部７を、背部枠２側の水平フレーム１に取着された枢支軸を中心に、背部枠２に重なるように略垂直状態に回動させ、次いで、ヒンジ５により回動側枠６を、回動側枠６が、略垂直状態に回動させた床部７を挟んで、背部枠２に重なるように回動させることにより、折り畳むことができるように構成されている。なお、背部枠２、側枠４及び回動側枠６は、一例として、図１に示されているように、逆Ｕ字状に形成されたパイプ等の枠材２ｃ、４ａ、６ａに、縦横に、適当な間隔でパイプ等の棒体２ｄ、４ｂ、６ｂを接合することにより形成されている。
【０００８】
次に、図２〜図４を用いて、水平フレーム１に載置された状態の床部７を、水平フレーム１に対して動かないように固定するためのロック部材の１実施例について説明する。
【０００９】
略平面形状が方形状の床部７は、周囲から垂下された垂直壁７ａ及び床部７の裏面から垂直壁７ａに沿って縦横に垂下されたリブ７ｂを有している。該リブ７ｂの背部枠２と直交するリブ７ｂで、且つ、床部７の枢支軸と反対側に位置する垂直壁７ａ付近に位置するリブ７ｂ’には、それぞれ、横長孔７ｃが穿設されており、横長孔７ｃには、床部７の周囲に垂下された垂直壁７ａから外側に、若干、突出するような長さを有する棒状のロック杆ｃ１が挿入されている。
【００１０】
ロック杆ｃ１に対して床部７の枢支軸側に位置する床部７或いはリブ７ｂには、コイルスプリングｃ２の一方のフックｃ２’を引っ掛ける係止部材ｃ３が形成されており、また、コイルスプリングｃ２のもう一方のフックｃ２”は、ロック杆ｃ１に係止されている。コイルスプリングｃ２により、ロック杆ｃ１は、床部７の枢支軸方向に付勢されるように構成されている。このような、コイルスプリングｃ２は、ロック杆ｃ１の両端部付近に張設されており、必要に応じて、更に、ロック杆ｃ１の中央部付近等にも張設することもできる。
【００１１】
ｃ４は、水平フレーム１の両先端部１ａ付近の水平面１ｂ上に取着されたロック杆受け部材である。ロック杆受け部材ｃ４は、ロック杆ｃ１の軸線方向から見た場合の側面が、略コの字形状をしており、水平フレーム１の先端部１ａ側が開口した溝ｃ４’が形成されている。
【００１２】
床部７を、垂直位置から、背部枠２側の水平フレーム１に取着された枢支軸を中心に、水平フレーム１に載置されるように回動した際には、コイルスプリングｃ２により、床部７の枢支軸方向に付勢されているロック杆ｃ１が、ロック杆受け部材ｃ４の上部に形成された傾斜案内部ｃ４”に当接し、傾斜案内部ｃ４”に沿って、且つ、コイルスプリングｃ２の付勢力に抗して、ロック杆受け部材ｃ４の溝ｃ４’の開口側に移動し、更なる床部７の水平方向への回動により、ロック杆ｃ１は、ロック杆受け部材ｃ４の傾斜案内部ｃ４”から溝ｃ４’の開口に向かい、溝ｃ４’の開口に入った時点で、コイルスプリングｃ２の付勢力により、溝ｃ４’に挿入されることになる。このようにして、水平フレーム１に載置された床部７が、水平フレーム１に対してロックされるように構成されている。
【００１３】
また、床部７の下に手を入れて、ロック杆ｃ１を、コイルスプリングｃ２の付勢力に抗して、床部７の先端部方向に引いて、ロック杆受け部材ｃ４の溝ｃ４’に挿入されているロック杆ｃ１を、溝ｃ４’から出すとともに、床部７を、枢支軸を中心に、上方に回動させることにより、水平フレーム１にロックされた床部７のロックを解除することができる。
【００１４】
ｃ５は、ロック杆ｃ１に取着されたワッシャー等からなる係止部材であり、ｃ６は、係止部材ｃ５に対して床部７の中央側に位置するとともに、係止部材ｃ５に一番近いリブ７ｂに取着された受け部材であり、受け部材ｃ６は、ロック杆ｃ１が遊嵌可能な透孔ｃ６’を有しており、ワッシャー等から構成されている。ｃ７は、ロック杆ｃ１に遊嵌されるとともに、係止部材ｃ５と受け部材ｃ６間に配置されたコイルスプリングであり、ロック杆ｃ１に、ロック杆ｃ１の軸方向に外力が加わらない場合には、水平フレーム１の両先端部１ａ付近の水平面１ｂ上に取着された一対のロック杆受け部材ｃ４に、ロック杆ｃ１の先端部が係合するように構成されている。
【００１５】
９は、側枠４を形成するパイプ等で形成された支柱４ａのうち、背部枠２側に位置する支柱４ａ’に取着された、横長に形成され板状のガイド部材である。ガイド部材９の一端部９ａは、溶接や鑞付けやボルト等の適当な固着手段により、支柱４ａ’に取着されており、また、ガイド部材９は、背部枠２方向に延在しており、その自由端９ｂは、軸方向に外力が加わっていない状態のロック杆ｃ１の先端ｃ１’と、床部７の周囲から垂下された垂直壁７ａの外側面７ａ’との間に位置するように構成されている。水平状態の床部７を、背部枠２側の水平フレーム１に取着された枢支軸を中心に、背部枠２方向に回動させ、床部７が、背部枠２に接近した際に、ガイド部材９の床部７側に位置するガイド面９ｃに、ロック杆ｃ１の先端ｃ１’が当接するように構成されている。
【００１６】
次に、図４〜図７を用いて、床部７が、背部枠２に重なるように、背部枠２に対してロックされる構成について説明する。
【００１７】
上述したようにして、ロック杆受け部材ｃ４の溝ｃ４’に挿入されているロック杆ｃ１を、溝ｃ４’から出すとともに、床部７を、枢支軸を中心に、上方に回動させることにより、水平フレーム１にロックされた床部７のロックを解除する。その後、水平状態の床部７を、背部枠２側の水平フレーム１に取着された枢支軸を中心に、背部枠２方向に回動させると、床部７が、背部枠２に接近した際に、図６に示されているように、ガイド部材９の床部７側に位置するガイド面９ｃに、軸方向に外力が加わっていない状態のロック杆ｃ１の先端ｃ１’が当接することになる。ガイド面９ｃに当接したロック杆ｃ１は、係止部材ｃ５と受け部材ｃ６間に配設されたコイルスプリングｃ７を圧縮しながら、図６において、右方向に移動する。床部７の背部枠２への接近に従って、ロック杆ｃ１は、コイルスプリングｃ７を圧縮しながら、ガイド面９ｃに沿って、右方向に移動するとともに、背部枠２方向に移動するが、ロック杆ｃ１の先端ｃ１’が、ガイド部材９の自由端９ｂから外れると、係止部材ｃ５と受け部材ｃ６間で圧縮されたコイルスプリングｃ７の反発力により、ロック杆ｃ１は、左方向に移動し、図４及び図７に示されているように、ロック杆ｃ１の先端ｃ１’が、ガイド部材９の自由端９ｂの背後に位置することになり、床部７の水平方向への回動が、ガイド部材９により阻止され、床部７が、背部枠２に重なるように、背部枠２に対してロックされる。
【００１８】
上述したように構成することにより、手で、ロック杆ｃ１を操作することなく、単に、水平状態の床部７を、背部枠２側の水平フレーム１に取着された枢支軸を中心に、背部枠２方向に回動させるだけで、ロック杆ｃ１を、ガイド部材９の自由端９ｂに係合させ、床部７を、背部枠２に対してロックすることができ、従って、かご車の折り畳み作業性が向上する。
【００１９】
なお、ロック杆ｃ１を、コイルスプリングｃ７の付勢力に抗して、右方向に移動させて、ロック杆ｃ１の先端ｃ１’が、ガイド部材９の自由端９ｂより、床部７の中央よりに位置した時点で、床部７を水平方向に回動させることにより、ガイド部材９による床部７のロックを解除することができる。また、ロック杆ｃ１を、コイルスプリングｃ２の付勢力に抗して、図４において、上方向に移動させて、ロック杆ｃ１を、ガイド部材９の自由端９ｂから外し、その後、床部７を水平方向に回動させることにより、ガイド部材９による床部７のロックを解除することもできる。
【００２０】
図８に示されている実施例は、ガイド部材９の自由端９ｂから、背部枠２方向に延在するとともに、外側に傾斜した傾斜部９ｄを形成し、ガイド部材９の平面形状を、全体として、への字状に形成したものである。床部７が、背部枠２の棒体２ｄに当接した際には、ロック杆ｃ１の先端ｃ１’は、ガイド部材９の傾斜部９ｄに接触しており、ロック杆ｃ１の先端ｃ１’が、係止部材ｃ５と受け部材ｃ６間で圧縮されたコイルスプリングｃ７の反発力により、ガイド部材９の傾斜部９ｄに圧接するように構成されている。このように構成することにより、ガイド部材９の傾斜部９ｄの傾斜面９ｄ’に加わるコイルスプリングｃ７の反発力の背部枠２方向へに分力により、床部７が、背部枠２方向に押圧された状態になり、従って、このような状態で、かご車を移動させても、床部７が揺れて、背部枠２に当たり、騒音を発生するようなことが防止できる。
【００２１】
なお、床部７が、水平フレーム１に載置された際に、ロック杆受け部材ｃ４の上方に位置する床部７に、適当な大きさの通し窓１０を形成し、通し窓１０を通して、ロック杆ｃ１が、ロック杆受け部材ｃ４の溝ｃ４’に挿入されているかどうかを確認することができるように構成することもできる。
【００２２】
【発明の効果】
本発明は、以上説明したように構成されているので、以下に記載の効果を奏するものである。
【００２３】
手で、ロック杆を操作することなく、単に、水平状態の床部を、背部枠方向に回動させるだけで、ロック杆を、ガイド部材に係合させ、床部を、背部枠に対してロックすることができ、従って、かご車の折り畳み作業性が向上する。
【００２４】
ガイド部材の傾斜部に加わるバネ部材の反発力の背部枠方向へに分力により、床部が、背部枠方向に押圧された状態になり、従って、このような状態で、かご車を移動させても、床部が揺れて、背部枠に当たり、騒音を発生するようなことが防止できる。
【図面の簡単な説明】
【図１】図１は本発明のかご車の全体斜視図である。
【図２】図２は本発明のかご車の部分斜視図である。
【図３】図３は本発明のかご車を上方から見た状態の部分斜視図である。
【図４】図４は本発明のかご車を構成する床部が背部枠にロックされた状態を示す部分斜視図である。
【図５】図５は本発明のかご車の床部が背部枠にロックされる過程を説明するための一部断面を含む平面図である。
【図６】図６は図５と同様に本発明のかご車の床部が背部枠にロックされる過程を説明するための一部断面を含む平面図である。
【図７】図７は図５と同様に本発明のかご車の床部が背部枠にロックされる過程を説明するための一部断面を含む平面図である。
【図８】図８は本発明のかご車の床部が背部枠にロックされた状態の別の実施例を示す一部断面を含む平面図である。
【符号の説明】
ｃ１・・・・・・ロック杆
ｃ２、ｃ７・・・コイルスプリング
ｃ４・・・・・・ロック杆受け部材
１・・・・・・・水平フレーム
２・・・・・・・背部枠
４・・・・・・・側枠
７・・・・・・・床部
９・・・・・・・ガイド部材
【図１】
0004294800.tif 000002
【図２】
0004294800.tif 000003
【図３】
0004294800.tif 000004
【図４】
0004294800.tif 000005
【図５】
0004294800.tif 000006
【図６】
0004294800.tif 000007
【図７】
0004294800.tif 000008
【図８】
0004294800.tif 000009